(57)【特許請求の範囲】
【請求項１】
取付台と、
前記取付台上に固定される軸部と、軸部から半径方向外方に張り出す表示部とを有する表示部材と、
前記取付台と前記表示部材の表示部の間に回転自在に設置される回転体と、
前記回転体の回転によって出力信号を変化する検出手段と、を具備する回転式電子部品において、
前記回転体には、前記表示部材の軸部を挿通する開口部を設け、この開口部の内径寸法を前記軸部の外径寸法よりも大きく形成することで前記開口部の半径方向内側に空間を設け、
前記表示部材の表示部の下面と前記回転体の上面の開口部を囲む位置に、前記回転体を回転自在に軸支する回転係合部を設けたことを特徴とする回転式電子部品。
【請求項２】
請求項１に記載の回転式電子部品において、
前記回転係合部は、前記表示部の下面に設けた表示部側軸支部と、前記回転体の上面に設けられ前記表示部側軸支部に回転自在に係合する回転体側軸支部とによって構成されていることを特徴とする回転式電子部品。
【請求項３】
請求項１に記載の回転式電子部品において、
前記表示部材の上面中央に凹状のつまみ収納部を設けると共に、このつまみ収納部を設けた表示部材の底面側部分を下方向に突出し、この突出した底面側部分を前記回転体の開口部内に挿入し、
一方、前記つまみ収納部には押釦つまみの本体部を収納し、この本体部の下面から突出する押圧部が、前記表示部材の軸部を貫通する開口に挿入されて中央スイッチをオンオフすることを特徴とする回転式電子部品。
【請求項４】
請求項１に記載の回転式電子部品において、
前記取付台の前記表示部材の軸部を取り付ける周囲であって、前記検出手段を設置した内側の空間に、前記回転体を回転することでクリック感覚を生じさせるクリック機構を設置し、
前記クリック機構は、前記回転体に取り付けられるクリック板に設けたクリック弾接部を、前記取付台の前記表示部材の軸部を取り付けた周囲を囲む位置に設けたクリック係合部に弾接してクリック感覚を生じさせ、
さらに前記クリック弾接部が前記クリック係合部によって上昇した際には、このクリック弾接部が前記回転体の開口部内に入り込む構成であることを特徴とする回転式電子部品。
【発明の詳細な説明】
【技術分野】
【０００１】
本発明は、回転体の軸支を確実に行うことができる回転式電子部品に関するものである。
【背景技術】
【０００２】
車載用ナビゲーションシステム，コンピュータ，各種携帯機器，各種ＯＡ機器，ゲーム機等を操作するデバイスとして、例えば特許文献１の図１に示す多機能型電子部品（１）がある。この多機能型電子部品（１）は、回転式電子部品の回転つまみ（１００）の中央に、押圧式電子部品の押釦つまみ（７０）を設置し、さらに回転つまみ（１００）の上面を押圧して揺動することで操作する揺動式電子部品を具備して構成されている。この多機能型電子部品（１）によれば、回転式電子部品の機能と押圧式電子部品の機能と揺動式電子部品の機能とを兼ね備えた多機能型電子部品をコンパクトに構成することができる。
【０００３】
またこの多機能型電子部品（１）は回転つまみ（１００）の内側の表示部材（１０）上に指標（１５）を形成しているので、この多機能型電子部品（１）を装着する外装ケース（２００）に指標を形成する必要はなく、実質的に多機能型電子部品（１）の外径の小型化が図れる。
【先行技術文献】
【特許文献】
【０００４】
【特許文献１】特開２０１０−１４０６８９号公報
【発明の概要】
【発明が解決しようとする課題】
【０００５】
しかしながら上記特許文献１に示す従来の多機能型の電子部品は、表示部材（１０）の中央に設けた軸部（３１）を、回転つまみ（１００）の中央に設けた開口（１０３）に挿入して軸支しているので、軸部（３１）の外径寸法（即ち開口（１０３）の内径寸法）に対して回転つまみ（１００）の外周寸法が相対的に大きくなると、前記軸部（３１）における回転つまみ（１００）の傾き方向への僅かながたつき（傾き）に対して回転つまみ（１００）の外周近傍部分における傾き方向（上下方向）へのがたつきが大きくなってしまう恐れがあった。また軸部（３１）の外径寸法が小さいと、回転つまみ（１００）の外周近傍部分を上下方向にがたつかせた際に開口（１０３）と軸部（３１）間に強い力が働き、回転つまみ（１００）の軸支に支障（回転トルクが大きくなる等）が生じる恐れもあった。
【０００６】
また表示部材（１０）の中央の軸部（３１）の部分で回転つまみ（１００）を軸支するので、この軸支部分を他の用途に使用することはできず、その分電子部品の小型化が阻害されていた。
【０００７】
一方、特許文献１の図１に示すように、表示部材（１０）の表示部（１１）の下面に設置したクリック板（４０）と、クリック板（４０）の弾接部（４９）が弾接する回転つまみ（１００）のクリック係合部（１０７）とによって構成されるクリック機構を、表示部材（１０）及び回転つまみ（１００）の外周近傍に設けているので、その外径の小型化が図りにくく、この点からもさらなる外径の小型化の要望に答えることができなかった。
【０００８】
また上記特許文献１に示す従来の多機能型の電子部品においては、表示部材（１０）の表示部（１１）と回転つまみ（１００）の間にクリック機構を積層して設置する構成なので、さらなる厚みの薄型化の要望に答えることができなかった。
【０００９】
本発明は上述の点に鑑みてなされたものでありその目的は、回転つまみ等の回転体の軸支をがたつきなく確実に行うことができ、また小型化を図ることもできる回転式電子部品を提供することにある。
【課題を解決するための手段】
【００１０】
本願請求項１に記載の発明は、取付台と、前記取付台上に固定される軸部と、軸部から半径方向外方に張り出す表示部とを有する表示部材と、前記取付台と前記表示部材の表示部の間に回転自在に設置される回転体と、前記回転体の回転によって出力信号を変化する検出手段と、を具備する回転式電子部品において、前記回転体には、前記表示部材の軸部を挿通する開口部を設け、この開口部の内径寸法を前記軸部の外径寸法よりも大きく形成することで前記開口部の半径方向内側に空間を設け、前記表示部材の表示部の下面と前記回転体の上面の開口部を囲む位置に、前記回転体を回転自在に軸支する回転係合部を設けたことを特徴とする回転式電子部品にある。
【００１１】
本願請求項２に記載の発明は、請求項１に記載の回転式電子部品において、前記回転係合部は、前記表示部の下面に設けた表示部側軸支部と、前記回転体の上面に設けられ前記表示部側軸支部に回転自在に係合する回転体側軸支部とによって構成されていることを特徴とする回転式電子部品にある。
【００１２】
本願請求項３に記載の発明は、請求項１に記載の回転式電子部品において、前記表示部材の上面中央に凹状のつまみ収納部を設けると共に、このつまみ収納部を設けた表示部材の底面側部分を下方向に突出し、この突出した底面側部分を前記回転体の開口部内に挿入し、一方、前記つまみ収納部には押釦つまみの本体部を収納し、この本体部の下面から突出する押圧部が、前記表示部材の軸部を貫通する開口に挿入されて中央スイッチをオンオフすることを特徴とする回転式電子部品にある。
【００１３】
本願請求項４に記載の発明は、請求項１に記載の回転式電子部品において、前記取付台の前記表示部材の軸部を取り付ける周囲であって、前記検出手段を設置した内側の空間に、前記回転体を回転することでクリック感覚を生じさせるクリック機構を設置し、前記クリック機構は、前記回転体に取り付けられるクリック板に設けたクリック弾接部を、前記取付台の前記表示部材の軸部を取り付けた周囲を囲む位置に設けたクリック係合部に弾接してクリック感覚を生じさせ、さらに前記クリック弾接部が前記クリック係合部によって上昇した際には、このクリック弾接部が前記回転体の開口部内に入り込む構成であることを特徴とする回転式電子部品にある。
【発明の効果】
【００１５】
請求項１に記載の発明によれば、回転体の軸支を、表示部材の表示部の下面に設けた回転係合部において行うので、表示部材の中央に設ける軸部の径よりもその径を容易に大きく構成することができる。これによって回転体の傾き方向（上下方向）へのがたつきをより小さくすることができる。また回転体の外周近傍部分を上下方向にがたつかせようとする力が働いた場合でも回転係合部に印加される力は小さくて済み、回転体のスムーズな回転が維持できる。
また表示部材の軸部の周囲の部分を他の用途（例えばクリック機構を設置する用途等）に利用でき、その分回転式電子部品の小型化が図れる。また表示部材の軸部は回転体を軸支しないので、容易にその外径寸法を小さくでき、この点からも回転式電子部品の小型化が図れる。
【００１６】
請求項２に記載の発明によれば、表示部側軸支部と回転体側軸支部とによって回転係合部が構成できるので、その構造が簡単になる。
【００１８】
請求項４に記載の発明によれば、クリック機構を、取付台の表示部材の軸部を取り付ける周囲であって、検出手段を設置した半径方向内側の空間に設置したので、クリック機能付きの回転式電子部品の外径の小型化が図れる。
また請求項４に記載の発明によれば、クリック機構を、検出手段を設置した半径方向内側の空間、即ち検出手段を設置するために必要とされる回転体下側の隙間の半径方向内側の空き空間内に配置できるので、クリック機能付きの回転式電子部品の厚みの薄型化が図れる。
【００１９】
請求項４に記載の発明によれば、小型化に適した構造のクリック機構が構成できる。
【図面の簡単な説明】
【００２０】
【図１】回転式電子部品１の概略側断面図（図２のＡ−Ａ断面図）である。
【図２】回転式電子部品１の斜視図である。
【図３】回転式電子部品１の分解斜視図（その上側の部品）である。
【図４】回転式電子部品１の分解斜視図（その下側の部品）である。
【図５】回転式電子部品１を下側から見た分解斜視図（その上側の部品）である。
【図６】回転式電子部品１を下側から見た分解斜視図（その下側の部品）である。
【図７】表示部材３０の裏面図である。
【図８】取付台１５０の平面図である。
【発明を実施するための形態】
【００２１】
以下、本発明の実施形態を図面を参照して詳細に説明する。図１は本発明の１実施形態にかかる回転式電子部品１の概略側断面図（図２のＡ−Ａ断面図）、図２は回転式電子部品１の斜視図、図３は回転式電子部品１の分解斜視図（その上側の部品）、図４は回転式電子部品１の分解斜視図（その下側の部品）、図５は回転式電子部品１を下側から見た分解斜視図（その上側の部品）、図６は回転式電子部品１を下側から見た分解斜視図（その下側の部品）である。なお以下の説明において、「上」とは取付台１５０から見て表示部材３０の方向をいい、「下」とはその反対方向をいうものとする。
【００２２】
これらの図に示すように回転式電子部品１は、支持部材２００上に、第２回路基板部１３５と、取付台１５０と、第１回路基板部１３１と、摺動子１２０及びクリック板１１０を取り付けた回転体（以下この実施形態では「回転つまみ」という）８０と、表示部材３０と、押釦つまみ１０と、を設置して構成されている。
【００２３】
押釦つまみ１０は合成樹脂の成形品であり、略円板状の本体部１１と、本体部１１の下面中央から下方向に向かって突出する柱状の押圧部１３とを具備し、本体部１１の上面を指などで押圧操作する操作部１５とし、さらに押圧部１３の先端近傍の外周面からガイド突起１７を突設して構成されている。
【００２４】
表示部材３０は合成樹脂の成形品であり、下記する取付台１５０上に固定される軸部５１と、軸部５１の上部において半径方向外方に張り出す略円板状の表示部３１とを有して構成されている。ここで図７は表示部材３０の裏面図である。
【００２５】
表示部３１の下面には、２つのリング状の突起が下記する回転つまみ８０の回転中心軸を中心とする同心円状に設けられており、内側のリング状の突起が表示部側軸支部３３を構成している。表示部３１の上面中央には円形に凹むつまみ収納部３５が設けられている。つまみ収納部３５の内径は、前記押釦つまみ１０の本体部１１をほぼぴったり収納する寸法に形成されている。表示部３１の前記つまみ収納部３５を設けたその底面側部分３６は、その外周側の底面の部分よりも下方向に突出しており、これによってつまみ収納部３５の形成位置が低く（深く）なるようにしている。この底面側部分３６の外径寸法は、下記する回転つまみ８０の開口部８３の内径寸法よりも小さく構成されている。表示部３１の表面（上面）には、所望の指標３７が設けられている。この実施形態では各指標３７は下記する４つの押圧スイッチ１４７の上部の位置にそれぞれ設けられており、各種操作（回転つまみ８０を揺動した際の各種操作）の内容を示している。指標３７は印刷（例えばタンポ印刷）によって形成しても良いし、表示部３１表面に凹凸等を設けて形成しても良いし、その他の方法によって形成しても良い。
【００２６】
軸部５１は表示部３１の下面中央から下方向に向かって柱状（略柱状）に突出しており、その下端面からは複数（３つ）の取付部５３が突出している。各取付部５３は横断面円弧状の略平板であり、軸部５１中央を貫通する開口５５の周囲を囲むように等間隔に設けられている。開口５５は軸部５１を上下に貫通しており、図７に示すように、円形部分５５ａの外周から略矩形状のガイド部５５ｂを突出する形状、言い換えれば鍵穴形状に形成されている。
【００２７】
回転つまみ８０は合成樹脂の成形品であり、略円板状に成形され、その上面に円形凹状の表示部収納部８１を設け、その中央に円形の貫通孔からなる開口部８３を設け、その下面を取付面８５として構成している。表示部収納部８１の内径寸法は前記表示部材３０の表示部３１の外径寸法よりも若干大きく形成され、従って回転つまみ８０の外径寸法は表示部３１の外径寸法よりも大きくなっている。表示部収納部８１の深さ寸法は、前記表示部材３０の表示部３１の厚み寸法よりも大きく形成されている。表示部収納部８１の底面の前記開口部８３を囲む位置には一部が切り欠かれたリング状の凸部からなる回転体側軸支部８７が形成されている。回転体側軸支部８７の内径寸法は、前記表示部材３０の表示部側軸支部３３の外径寸法とほぼ同一であり、回転体側軸支部８７の内側に表示部側軸支部３３を回動自在に挿入して回転つまみ８０を回転自在に軸支するように形成している。これら表示部側軸支部３３と回転体側軸支部８７とによって回転係合部９０が構成される。開口部８３の内径寸法は前記表示部材３０の軸部５１及び底面側部分３６の外径寸法よりも大きく形成され、その内部に前記表示部材３０の軸部５１及び底面側部分３６を挿入できるようにしている。回転つまみ８０の表示部収納部８１の外側を囲むリング状の部分は、つまみ操作部８９となっている。回転つまみ８０の取付面８５には複数（３つ）の小突起からなる取付部９１が形成されており、また取付面８５の周囲を囲む位置にはリング状に突出する当接部９３が設けられている。また表示部収納部８１の底面には、上下に貫通する小孔からなる位置決め孔９５が形成されている。位置決め孔９５はこの回転つまみ８０にクリック板１１０や摺動子１２０を自動組み立てによって取り付ける際に組立治具に設けたピンに挿入してその位置決めを行うためのものである。
【００２８】
クリック板１１０は、弾性金属板（例えばステンレス板）をリング状に形成した基部１１１と、基部１１１の内側にリング状に配置される一対の半円弧状のアーム部１１３とを一体に形成して構成されている。アーム部１１３の中央に形成されている円形の開口部１１５は、その内径が前記表示部材３０の軸部５１を挿入できる寸法に形成されている。基部１１１には前記回転つまみ８０の各取付部９１を挿入する小孔からなる取付部１１７が複数（３つ）設けられている。各アーム部１１３は、それらの根元部分が一対の連結部１１９によって基部１１１の内周に連結され、この根元部分においてアーム部１１３は下方向に傾くように折り曲げられている。両アーム部１１３のそれぞれ中央位置には下方向に突出するように湾曲するクリック弾接部１１４が設けられている。このクリック弾接部１１４はクリック機構を構成している。
【００２９】
摺動子１２０は弾性金属板（例えばリン青銅板）製であり、回転つまみ８０よりも小さな外径寸法を有する略円形の平板リング状に形成され、中央に開口部１２１を設けると共に、等間隔（１２０°間隔）の３か所の位置に、前記回転つまみ８０の各取付部９１を挿入する貫通孔からなる取付固定部１２３を設け、また各取付固定部１２３の側部から摺接ブラシ１２５を摺動子１２０の円形の外形に沿うように設置して構成されている。各組の摺接ブラシ１２５の先端近傍部分は、接点部１２７となっている。なお開口部１２１は前記クリック板１１０のクリック弾接部１１４を挿通するクリック弾接部挿通部でもある。摺動子１２０は検出手段を構成する部品である。
【００３０】
取付台１５０は合成樹脂を略円板状に成形して構成されており、その外周にはこれを囲むように取付台保持部１５３が取り付けられている。なお図８は取付台１５０の平面図である。取付台１５０の中央には押釦つまみ１０の押圧部１３を挿通して軸支する押圧部挿通孔１５５が設けられている。押圧部挿通孔１５５の形状は、円形部分の外周から矩形状部分を突出する形状、言い換えれば鍵穴形状に形成されており、矩形状部分が突出する方向を前記表示部材３０の開口５５の同一部分の突出方向と１８０°逆向きにしている。また押圧部挿通孔１５５の周囲上面の矩形状部分と１８０°対向する位置には、前記表示部材３０の開口５５のガイド部５５ｂに挿入される突起からなるガイド部塞ぎ部１５７が形成されている。また取付台１５０上面の押圧部挿通孔１５５の周囲には、リング状の軸部当接面１５９が設けられ、さらに軸部当接面１５９の周囲を囲む位置にはリング状の凹凸からなるクリック係合部１６１が設けられている。軸部当接面１５９には、前記表示部材３０に設けた各取付部５３を挿入する貫通孔からなる被取付部１６３が形成されている。取付台１５０の上面の外周近傍部分には、複数（５つ）の小突起からなる基板係止部１６５が設けられている。また取付台１５０の下面には円周状に等間隔に複数（４つ）の下方向に向かって突出する柱状の押圧部１６７が設けられている。クリック係合部１６１はクリック機構を構成する。
【００３１】
取付台保持部１５３は、取付台１５０の外周を囲む位置に設置されており、略平板リング状でその全体が上下方向に可撓性を有する厚みに形成されている。取付台保持部１５３はその１箇所が切り欠かれており、切り欠かれた部分が基板挿通部１６９となっている。取付台保持部１５３と取付台１５０間は、等間隔に配置した複数（４つ）の平板薄板状の連結部１７１によって連結されており、これら各部分は一体の成形品で構成されている。連結部１７１も上下方向に可撓性を有している。取付台保持部１５３の下面には複数（４つ）の固定部１７３が等間隔に下方向に向かって突設されている。各固定部１７３は基部１７３ａから基部１７３ａよりも径の小さい取付部１７３ｂを突出して構成されている。各固定部１７３は各連結部１７１の中間に位置するように設けられている。
【００３２】
第１回路基板部１３１と第２回路基板部１３５は１枚のフレキシブル回路基板１３０に形成されている。即ちフレキシブル回路基板１３０は、可撓性を有する合成樹脂フイルム上に所望の回路パターンを設けて構成されており、この実施形態では合成樹脂フイルムとして熱可塑性のポリエチレンテレフタレート（ＰＥＴ）フイルムを用いているが、他の各種熱可塑性、熱硬化性、光硬化性の合成樹脂フイルムを用いて構成しても良い。フレキシブル回路基板１３０は摺接パターン１３７が形成された第１回路基板部１３１と、中央スイッチ１４５と押圧スイッチ１４７とが形成された第２回路基板部１３５とを、帯状の連結部１４９によって連結して構成されている。摺接パターン１３７は検出手段を構成する。
【００３３】
第１回路基板部１３１は略円形の外形を有し、中央に取付台１５０のクリック係合部１６１を挿通する円形の開口部１３３を設け、またその上面の開口部１３３の周囲に所望の摺接パターン１３７を設けて構成されている。摺接パターン１３７は銀などの導電ペーストを印刷するなどして形成されており、図では詳細な記載を省略しているが、この実施形態ではスイッチパターンが形成されている。また第１回路基板部１３１の外周近傍部分の前記取付台１５０の各基板係止部１６５に対向する複数（５か所）の位置には貫通孔又は凹部からなる挿通部１３９が設けられている。
【００３４】
第２回路基板部１３５はその上面に中央スイッチ１４５を設置し、中央スイッチ１４５の周囲の複数の位置（この実施形態では同一円周上の等間隔（９０°間隔）の４か所の位置）に押圧スイッチ１４７を設置して構成されている。中央スイッチ１４５と押圧スイッチ１４７は何れも同一構造であり、何れについても第２回路基板部１３５上に形成した図示しない一対のスイッチ接点上に弾性金属板をドーム形状に形成してなる反転板（可動接点板）１４５ａ，１４７ａを取り付けて構成されており、反転板１４５ａ，１４７ａを押圧してこれを反転することでスイッチがオンする構造になっている。また前記取付台１５０の各固定部１７３の取付部１７３ｂに対向する位置にはそれぞれ貫通孔からなる被取付部１４８が形成されている。なお摺接パターン１３７と中央，押圧スイッチ１４５，１４７はフレキシブル回路基板１３０の表裏異なる面に形成されており、連結部１４９の部分を折り返すことで摺接パターン１３７と中央，押圧スイッチ１４５，１４７がそれぞれ上向きとなるようにしている。
【００３５】
支持部材２００は硬質板（この実施形態では金属板（例えばステンレス板））によって構成されており、前記取付台１５０の各固定部１７３の取付部１７３ｂに対向する位置にそれぞれ貫通孔からなる被取付部２０１が形成されている。
【００３６】
次に回転式電子部品１の組み立て方法を説明する。まず予め、回転つまみ８０の取付面８５にクリック板１１０と摺動子１２０とを重ねて載置する。このとき回転つまみ８０の各取付部９１をクリック板１１０の各取付部１１７と摺動子１２０の各取付固定部１２３に挿入し、各取付部９１の先端を熱かしめすることで、クリック板１１０と摺動子１２０を回転つまみ８０に取り付ける。一方第１回路基板部１３１を取付台１５０上に載置し、その際取付台１５０の各基板係止部１６５を第１回路基板部１３１の各挿通部１３９に挿入し、その先端を熱かしめすることで取付台本体１５１上に第１回路基板部１３１を取り付ける。なおこのときフレキシブル回路基板１３０の連結部１４９は取付台１５０に設けた基板挿通部１６９を挿通することで、取付台１５０と取付台保持部１５３の間の隙間に挿入しておく。
【００３７】
次に表示部材３０のつまみ収納部３５内に押釦つまみ１０を挿入し、その際押釦つまみ１０の押圧部１３を表示部材３０の開口５５に挿入する。このとき押釦つまみ１０のガイド突起１７を開口５５のガイド部５５ｂに挿入し、ガイド部５５ｂの下面側に突出したガイド突起１７を１８０°回転しておく。図３，図５には、押釦つまみ１０を１８０°回転した後の状態を示しているので、ガイド突起１７とガイド部５５ｂの方向が１８０°異なっている。
【００３８】
次に上記押釦つまみ１０を装着した表示部材３０を、上記クリック板１１０と摺動子１２０を取り付けた回転つまみ８０の表示部収納部８１内に挿入し、その際表示部材３０の軸部５１を回転つまみ８０の開口部８３及びクリック板１１０の開口部１１５及び摺動子１２０の開口部１２１に挿通する。
【００３９】
次に上記各部品を搭載した回転つまみ８０を、上記取付台１５０上に取り付けた第１回路基板部１３１上に載置し、その際表示部材３０の軸部５１を取付台１５０のクリック係合部１６１の内側に挿入し、その下面を軸部当接面１５９上に載置する。このとき軸部５１下面の各取付部５３を取付台１５０の各被取付部１６３に挿入し、その先端を取付台１５０の下面において熱かしめする。
【００４０】
取付台１５０上に表示部材３０を載置した際、図７に点線で示すように、取付台１５０のガイド部塞ぎ部１５７が表示部材３０の開口５５のガイド部５５ｂに挿入されてこれを塞ぎ、開口５５は円形部分５５ａのみとなって押釦つまみ１０の押圧部１３が確実にガイドされる。
【００４１】
そしてこの取付台１５０を、支持部材２００上に載置した第２回路基板部１３５上に載置し、その際取付台１５０の各固定部１７３の取付部１７３ｂを第２回路基板部１３５の被取付部１４８と支持部材２００の被取付部２０１に挿入し、その先端を支持部材２００の下面で熱かしめする。これによって回転式電子部品１が完成する。なお上記組立手順はその一例であり、他の各種異なる組立手順を用いて組み立てても良いことはいうまでもない。
【００４２】
以上のように構成された回転式電子部品１において、回転つまみ８０を回転すると、回転つまみ８０に取り付けた摺動子１２０が回転つまみ８０と一体に回転し、その接点部１２７が摺接パターン１３７上を摺動することで摺接パターン１３７からの検出出力が変化する。同時に回転つまみ８０と一体にクリック板１１０が回転してそのクリック弾接部１１４が取付台１５０のクリック係合部１６１の凹凸を乗り越えてゆき、クリック感覚が生じる。ところでクリック弾接部１１４がクリック係合部１６１の凸の部分に乗り上げる際、回転つまみ８０の開口部８３にクリック板１１０のアーム部１１３が面しているので、乗り上げて上昇した弾接部１１４及びアーム部１１３は回転つまみ８０の開口部８３内に入り込む。つまり別途弾接部１１４とアーム部１１３が上下動するスペースを回転つまみ８０と取付台１５０の間に設ける必要がなく、この点からも回転式電子部品１の薄型化が図れる。
【００４３】
次に押釦つまみ１０の操作部１５を押圧すれば、押釦つまみ１０が下降してその押圧部１３が中央スイッチ１４５の反転板１４５ａを押圧して反転し、中央スイッチ１４５がオンする。押釦つまみ１０への押圧を解除すれば反転板１４５ａの弾性復帰力によって押釦つまみ１０は元の位置にもどり、中央スイッチ１４５はオフする。
【００４４】
また回転つまみ８０のつまみ操作部８９の前記各指標３７の何れかに対応する上面部分（その指標３７の半径方向外側の上面部分）を下方向に向けて押圧すれば、回転つまみ８０や表示部材３０や押釦つまみ１０など、取付台１５０上に設置されている各構成部品全体が取付台１５０と一体に押圧された方向に傾いて揺動し、下降した側の押圧部１６７が対向する押圧スイッチ１４７の反転板１４７ａを押圧して反転し、押圧スイッチ１４７がオンする。取付台１５０は、連結部１７１及び取付台保持部１５３が撓むことで傾く。回転つまみ８０への押圧を解除すれば、撓んだ連結部１７１及び取付台保持部１５３の元の形状への弾性復帰力と、反転している反転板１４７ａの弾性復帰力とによって、回転つまみ８０及び取付台１５０などの揺動していた全構成部品が一体に元の位置に自動復帰し、押圧スイッチ１４７はオフする。
【００４５】
以上説明したように、回転式電子部品１は、取付台１５０と、取付台１５０上に固定される軸部５１及びこの軸部５１から半径方向外方に張り出す表示部３１を有する表示部材３０と、取付台１５０と表示部材３０の表示部３１の間に回転自在に設置される回転つまみ８０と、回転つまみ８０の回転によって出力信号を変化する摺動子１２０及び摺接パターン１３７からなる検出手段と、を具備し、表示部材３０の表示部３１の下面に回転つまみ８０を回転自在に軸支する回転係合部９０を設けることで構成されている。
【００４６】
このようにこの回転式電子部品１によれば、回転つまみ８０の軸支を、表示部材３０の表示部３１の下面に設けた回転係合部９０において行うので、表示部材３０の中央に設ける軸部５１の径よりもその径を容易に大きく構成することができる。これによって回転つまみ８０の傾き方向（上下方向、図１の矢印Ｂ方向）へのがたつきをより小さくすることができる。また回転つまみ８０の外周近傍部分を上下方向（矢印Ｂ方向）にがたつかせようとする力が働いた場合でも回転係合部９０に印加される力は小さくて済み、回転つまみ８０のスムーズな回転が維持できる。また表示部材３０の軸部５１の周囲の部分を他の用途（この実施形態ではクリック機構を設置する用途）に利用でき、その分回転式電子部品１の小型化が図れる。また表示部材３０の軸部５１は回転つまみ８０を軸支しないので、容易にその外径寸法を小さくでき、この点からも回転式電子部品１の小型化が図れる。
【００４７】
この実施形態においては、回転係合部９０を、表示部３１の下面に設けた表示部側軸支部３３と回転つまみ８０の上面に設けられ表示部側軸支部３３に回転自在に係合する回転体側軸支部８７とによって構成しているので、その構造が簡単で回転係合部９０を容易に構成することができる。
【００４８】
またこの実施形態においては、回転つまみ８０の表示部収納部８１の底面の位置に回転体側軸支部８７を設けたので、回転体側軸支部８７の径を容易に大きく構成することができ、回転つまみ８０のがたつきを効果的に防止することができる。
【００４９】
また表示部材３０の軸部５１を挿通させるために設ける回転つまみ８０の開口部８３は、この開口部８３において回転つまみ８０を軸支する必要がないので容易に大きく構成でき、その内部に表示部材３０のつまみ収納部３５の底面側部分３６を挿入でき、これによって回転式電子部品１の厚みの薄型化が図れる。
【００５０】
またこの実施形態においては、取付台１５０の表示部材３０の軸部５１を取り付ける周囲であって、検出手段を設置した半径方向内側の空間（検出手段を設置するために必要とされる回転体下側の隙間の半径方向内側の空き空間）に、回転つまみ８０を回転することでクリック感覚を生じさせるクリック板１１０のクリック弾接部１１４及びクリック係合部１６１からなるクリック機構を設置している。このようにクリック機構を前記検出手段よりも半径方向内側の空き空間に設置したので、表示部材３０の表示部３１の外周近傍部分などにクリック機構を設置する必要がなく、回転式電子部品１の外径の小型化が図れる。またクリック機構を、検出手段を設置するために必要とされる回転つまみ８０下側の隙間の半径方向内側の空き空間内に配置できるので、回転式電子部品１の厚みの薄型化も図れる。
【００５１】
クリック機構の構成をもう少し詳しく説明すると、回転つまみ８０に取り付けられるクリック板１１０に設けたクリック弾接部１１４を、取付台１５０の表示部材３０の軸部５１を取り付けた周囲を囲む位置に設けたクリック係合部１６１に弾接させてクリック感覚を生じさせるように構成している。このようにクリック機構を構成することで、小型化に適した構造のクリック機構が構成できる。
【００５２】
またこの実施形態の場合、取付台１５０の外周を囲む位置に可撓性を有する取付台保持部１５３を設け、この取付台保持部１５３と取付台１５０間を連結部１７１で連結し、取付台１５０の下側に設置した支持部材２００に対して取付台保持部１５３に設けた固定部１７３を固定することで、取付台保持部１５３を可撓性を有する状態で支持部材２００に取り付けので、回転式電子部品と揺動式電子部品の機能を一体化した多機能型の電子部品において、別途取付台１５０を揺動自在に保持する部品を増やすことなく、取付台１５０に設けた取付台保持部１５３によって取付台１５０をガタツキなく自動復帰力を有する状態で揺動自在に保持でき、部品点数の削減化が図れ、組立工程も減少してコストダウンが図れ、また外径寸法の小型化が図れる。
【００５３】
またこの回転式電子部品１によれば、本体部１１の下面から押圧部１３を突出してなる押釦つまみ１０を具備し、この押釦つまみ１０の押圧部１３を、表示部材３０の軸部５１の中央と、取付台１５０のクリック係合部１６１の中央とに上下動自在に貫通させ、さらにその下端を支持部材２００上に設置した中央スイッチ１４５上に配置したので、回転式電子部品と揺動式電子部品と押圧式電子部品の機能を一体化した多機能型の電子部品を容易に構成することができる。
【００５４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば回転係合部９０は必ずしもリング状の突起からなる表示部側軸支部３３と回転体側軸支部８７とによって構成する必要はなく、一方を凹部で構成したり、またリング形状以外の各種形状によって構成しても良い等、種々の変形が可能である。要は回転係合部９０は表示部材３０の表示部３１の下面において回転つまみ８０を回転自在に軸支する構成であればどのような構造であってもよい。
【００５５】
またクリック機構の構造は上記実施形態の構造に限定されず種々の変形が可能であり、要は取付台１５０の表示部材３０の軸部５１を取り付ける周囲であって、検出手段を設置した内側の空間において、回転つまみ８０を回転することでクリック感覚を生じさせる構成であれば、どのような構成であっても良い。
【００５６】
また表示部材３０の表示部３１に設ける指標３７の形状や位置や数、押圧スイッチ１４７の設置位置や数などは種々の変更が可能である。また指標３７は表示部材３０を透明にするなどして表示部３１の下面または内部に設けても良い。また上記実施形態では指標３７を設けた位置と回転つまみ８０を押圧して揺動させる位置とを一致させているが、必ずしも一致させなくても良い。また上記実施形態では摺動子１２０と摺接パターン１３７とによって検出手段を構成したが、検出手段は回転つまみ８０の回転によってその検出出力が変化する構成であれば他の構成であっても良い。検出手段による検出出力は電気的出力に限られず、磁気的出力や光学的出力などであっても良い。
【００５７】
また場合によっては、中央の押釦つまみ１０と押釦つまみ１０によって押圧操作される中央スイッチ１４５、すなわち押圧式電子部品の部分を省略しても良い。同様に場合によっては、支持部材２００と第２回路基板部１３５と取付台保持部１５３及び連結部１７１、すなわち揺動式電子部品の部分を省略しても良い。また上記実施形態では回転つまみ８０のみによって回転体を構成したが、例えば摺動子１２０を取り付ける回転体と、つまみ操作部８９を有するつまみ部分とを別部品で構成しても良いなど、その構造には種々の変更が可能である。また取付台保持部１５３は可撓性のない剛体で構成しても良い。その場合でも連結部１７１に可撓性があれば取付台１５０は揺動可能となる。さらに取付台１５０と取付台保持部１５３間を一体に連結する連結部１７１を省略し、その代わりに例えば別途可撓性を有するフイルム状部材（合成樹脂フイルム等）を用意し、このフイルム状部材によって取付台１５０と取付台保持部１５３間を連結するなどしても良い。
【００５８】
また上記実施形態では、第１回路基板部１３１と第２回路基板部１３５を連結部１４９によって一体に連結しているが、第１回路基板部１３１と第２回路基板部１３５とを別個の回路基板として構成しても良い。その場合、第１回路基板部１３１と第２回路基板部１３５の少なくとも何れかを硬質の回路基板で構成することもできる。
【００５９】
また上記実施形態では、中央スイッチ１４５や押圧スイッチ１４７を１枚の合成樹脂フイルム上に形成した接点パターン上に反転板を取り付けることで構成しているが、これらのスイッチは２枚の合成樹脂フイルム（一方は硬質の合成樹脂板でも良い）を重ね合わせて両合成樹脂フイルムにそれぞれ設けた一対の接点パターンを隙間を介して対向させ、一方の合成樹脂フイルムに設けた接点パターンの裏面側に反転板を設置すること（場合によっては反転板は不要）で構成されるいわゆるメンブレンスイッチで構成しても良い。
【符号の説明】
【００６０】
１  回転式電子部品
１０  押釦つまみ
１３  押圧部
３０  表示部材
３１  表示部
３３  表示部側軸支部（回転係合部）
５１  軸部
５５  開口
８０  回転つまみ（回転体）
８１  表示部収納部
８７  回転体側軸支部（回転係合部）
８９  つまみ操作部
９０  回転係合部
１１０  クリック板
１１４  クリック弾接部（クリック機構）
１２０  摺動子（検出手段）
１３０  フレキシブル回路基板
１３１  第１回路基板部
１３５  第２回路基板部
１３７  摺接パターン（検出手段）
１４５  中央スイッチ    
１４７  押圧スイッチ
１５０  取付台
１５３  取付台保持部
１５５  押圧部挿通孔
１６１  クリック係合部（クリック機構）
１７１  連結部
１７３  固定部
２００  支持部材
【図１】
0005727829.tif 000002
【図２】
0005727829.tif 000003
【図３】
0005727829.tif 000004
【図４】
0005727829.tif 000005
【図５】
0005727829.tif 000006
【図６】
0005727829.tif 000007
【図７】
0005727829.tif 000008
【図８】
0005727829.tif 000009